【手続補正書】
【提出日】平成20年6月17日(2008.6.17)
【手続補正１】
【補正対象書類名】明細書
【補正対象項目名】特許請求の範囲
【補正方法】変更
【補正の内容】
【特許請求の範囲】
【請求項１】
コンピュータネットワークに接続され、カスタマイズされた射出成形システムを設計、特定、および注文するために１または複数の使用者がアクセスすることができる、コンピュータにより実行されるシステムにおいて、
顧客が決定した一つ又はそれ以上のパラメータ及び製造プロセスによって決定された一つ又はそれ以上のパラメータを使用し、これらのカスタマイズされた設計パラメータを実装するようなカスタマイズされた射出成形システムを生成する構成用サブシステムと、
前記構成用サブシステムと通信し、前記構成用サブシステムにより生成されたカスタマイズされた射出成形システムを演算処理し、カスタマイズされた射出成形システムの図面を生成する演算処理用サブシステムとを含む、コンピュータにより実行されるシステム。
【請求項２】
前記構成用サブシステムと通信し、前記カスタマイズされた射出成形システムを製造するための費用を計算するとともに前記カスタマイズされた射出成形システムを完成させるまでのスケジュールを決定する業務用サブシステムを更に含む、請求項１に記載のコンピュータにより実行されるシステム。
【請求項３】
前記演算処理用サブシステムは、前記カスタマイズされた射出成形システムの材料費を更に提供する、請求項１に記載のコンピュータにより実行されるシステム。
【請求項４】
前記構成用サブシステムはウェブページサーバー及び前記コンピュータネットワークに接続されている、請求項１に記載のコンピュータにより実行されるシステム。
【請求項５】
前記コンピュータネットワークはインターネットである、請求項４に記載のコンピュータにより実行されるシステム。
【請求項６】
前記構成用サブシステムと通信し、前記構成用サブシステムにより生成されるカスタマイズされた射出成形システムを製造するための入力を提供する製造用サブシステムを更に含む、請求項１に記載のコンピュータにより実行されるシステム。
【請求項７】
前記構成用サブシステムは、前記カスタマイズされた射出成形システムについて機能性及び安全性のうちの少なくとも一つに関して検証を行う、請求項１に記載のコンピュータにより実行されるシステム。
【請求項８】
コンピュータネットワークに接続され、カスタマイズされた射出成形システムを設計、特定、および注文するために１または複数の使用者がアクセスすることができる、コンピュータにより実行されるシステムにおいて、
顧客が決定した一つ又はそれ以上のパラメータ及び製造プロセスによって決定された一つ又はそれ以上のパラメータを使用し、これらのカスタマイズされた設計パラメータを実装するようなカスタマイズされた射出成形システムを生成する構成用サブシステムと、
前記構成用サブシステムと通信し、前記カスタマイズされた射出成形システムを製造するための費用を計算するとともに前記カスタマイズされた射出成形システムを完成させるまでのスケジュールを決定する業務用サブシステムとを含む、コンピュータにより実行されるシステム。
【請求項９】
前記構成用サブシステムと通信し、前記構成用サブシステムにより生成されるカスタマイズされた射出成形システムを製造するための入力を提供する製造用サブシステムを更に含む、請求項８に記載のコンピュータにより実行されるシステム。
【請求項１０】
前記構成用サブシステムと通信し、前記構成用サブシステムにより生成されたカスタマイズされた射出成形システムを演算処理し、カスタマイズされた射出成形システムの図面および材料費の情報を生成する演算処理用サブシステムとを含む、請求項８に記載のコンピュータにより実行されるシステム。
【請求項１１】
前記構成用サブシステムはウェブページサーバー及び前記コンピュータネットワークに接続されている、請求項８に記載のコンピュータにより実行されるシステム。
【請求項１２】
前記コンピュータネットワークはインターネットである、請求項１１に記載のコンピュータにより実行されるシステム。
【請求項１３】
前記構成用サブシステムは、前記カスタマイズされた射出成形システムについて機能性及び安全性のうちの少なくとも一つに関して検証を行う、請求項８に記載のコンピュータにより実行されるシステム。
【請求項１４】
コンピュータネットワークに基づくシステムにおける、カスタマイズされた射出成形システムの設計、特定および注文するための自動化された方法において、
顧客が決定した一つ又はそれ以上のパラメータを電子的に受け取る工程と、
顧客が決定した一つ又はそれ以上のパラメータ及び製造プロセスによって決定された一つ又はそれ以上のパラメータを使用する、射出成形システムのためのコンピュータ化した構成用サブシステムにより射出成形システムを生成する工程と、
コンピュータ化した業務用サブシステムにより射出成形システムを製造するための費用を計算する工程と、
コンピュータ化した業務用サブシステムにより射出成形システムを完成させるまでのスケジュールを決定する工程と、
構成された射出成形システムを、演算処理を行うためにコンピュータ化した演算処理用サブシステムに送る工程と、を含む方法。
【請求項１５】
顧客が決定した一つ又はそれ以上のパラメータ及び製造プロセスによって決定された一つ又はそれ以上のパラメータに基づいて図面を生成する工程を更に含む、請求項１４に記載の方法。
【請求項１６】
前記構成されたシステムに基づいて材料費を求める工程を更に含む、請求項１４に記載の方法。
【請求項１７】
機械及び工具のコード等の製造パラメータを前記構成されたシステムに基づいて決定する工程を更に含む、請求項１４に記載の方法。
【請求項１８】
前記構成された射出成形システムについて機能性及び安全性のうちの少なくとも一つに関して検証を行う工程を更に含む、請求項１４に記載の方法。
【請求項１９】
カスタマイズされた射出成形システムを製造するため、コンピュータネットワークに接続された、コンピュータにより実行されるシステムにおいて、
カスタマイズされた射出成形システムの一つまたはそれ以上の構成要素に関連する、顧客が決定した一つ又はそれ以上のパラメータ、及び製造プロセスによって決定された一つ又はそれ以上のパラメータを使用してカスタマイズされた射出成形システムを設計して注文し、カスタマイズされた射出成形システムを生成するためのコンピュータ化した構成用サブシステムと、
前記カスタマイズされた射出成形システムを製造するための費用を計算するとともに前記カスタマイズされた射出成形システムを完成させるまでのスケジュールを決定するため、前記構成用サブシステムと通信したコンピュータ化した業務用サブシステムと、
前記構成用サブシステムにより生成されるカスタマイズされた射出成形システムを製造するための入力を提供するための、前記構成用サブシステム及び前記業務用サブシステムと通信したコンピュータ化した製造用サブシステムとを含む、コンピュータにより実行されるシステム。
【請求項２０】
前記構成用サブシステムと通信し、前記構成用サブシステムにより生成されたカスタマイズされた射出成形システムを演算処理し、カスタマイズされた射出成形システムの図面を生成する演算処理用サブシステムを更に含む、請求項１９に記載のコンピュータにより実行されるシステム。
【請求項２１】
前記構成用サブシステムは、カスタマイズされた射出成形システムについて機能性及び安全性のうちの少なくとも一つに関して検証を行う、請求項１９に記載のコンピュータにより実行されるシステム。
【請求項２２】
カスタマイズされた射出成形システムを製造するためのコンピュータが実行するプロセスにおける方法において、
顧客が決定した一つ又はそれ以上のパラメータ及び製造プロセスによって決定された一つ又はそれ以上のパラメータを使用することによって注文し、カスタマイズされた射出成形システムを生成する工程と、
顧客が決定した一つ又はそれ以上のパラメータ及び製造プロセスによって決定された一つ又はそれ以上のパラメータに基づいてカスタマイズされた射出成形システムの図面を生成する工程と、
カスタマイズされた射出成形システムを製造するための費用を計算する工程と、
カスタマイズされた射出成形システムを完成させるまでのスケジュールを決定する工程と、
カスタマイズされた射出成形システムを注文する工程と
顧客が決定した一つ又はそれ以上のパラメータ及び製造プロセスによって決定された一つ又はそれ以上のパラメータに基づいてカスタマイズされた射出成形システムを製造する工程とを含む、方法。
【請求項２３】
検証されるべきカスタマイズされた射出成形システムの電子ファイルを送出することによって、カスタマイズされた射出成形システムについて機能性及び安全性のうちの少なくとも一つに関して検証を行う工程を更に含む、請求項２２に記載の方法。
【請求項２４】
カスタマイズされた射出成形システムを遠隔から設計、特定および注文するための方法において、
構成用サブシステムネットワーク及びデジタルネットワークに接続されたウェブページサーバーを提供する工程と、
デジタルネットワーク上の前記ウェブページサーバーを使用し、カスタマイズされた射出成形システムを設計するための顧客が決定した一つ又はそれ以上のパラメータをウェブブラウザープログラムを使用して受け取る工程と、
顧客が決定した一つ又はそれ以上のパラメータ及び製造プロセスによって決定された一つ又はそれ以上のパラメータに基づいて射出成形システムを構成し、カスタマイズされた射出成形システムを生成する工程と
カスタマイズされた射出成形システムを製造するための費用を計算する工程と、
カスタマイズされた射出成形システムを完成させるまでのスケジュールを決定する工程と、
カスタマイズされた射出成形システムを注文する工程とを含む、方法。
【請求項２５】
前記デジタルネットワークはインターネットである、請求項２４に記載の方法。
【請求項２６】
前記カスタマイズされた射出成形システムの少なくとも一つの図面を含む一つ又はそれ以上のウェブページを顧客の依頼に応じて動的に表示する工程を更に含む、請求項２４に記載の方法。
【請求項２７】
前記カスタマイズされた射出成形システムについての費用及びスケジュールのうちの少なくとも一方を含む一つ又はそれ以上のウェブページを顧客の依頼に応じて動的に表示する工程を更に含む、請求項２４に記載の方法。
【請求項２８】
コンピュータネットワークに接続され、カスタマイズされたホットランナーシステムを設計、特定、および注文するために１または複数の使用者がアクセスすることができる、コンピュータにより実行されるシステムにおいて、
顧客が決定した一つ又はそれ以上のパラメータ及び製造プロセスによって決定された一つ又はそれ以上のパラメータを使用し、これらのカスタマイズされた設計パラメータを実装するようなカスタマイズされたホットランナーマニホールドを生成する構成用サブシステムと、
前記構成用サブシステムと通信し、前記構成用サブシステムにより生成されたカスタマイズされたホットランナーマニホールドを演算処理し、カスタマイズされたホットランナーマニホールドの図面を生成する演算処理用サブシステムとを含む、コンピュータにより実行されるシステム。
【請求項２９】
前記構成用サブシステムは、カスタマイズされた設計パラメータを使用して、カスタマイズされたホットランナーマニホールドに接続する複数のホットランナーノズルも生成する、請求項２８に記載のコンピュータにより実行されるシステム。
【請求項３０】
コンピュータネットワークに接続され、カスタマイズされたホットランナーシステムを設計、特定、および注文するために１または複数の使用者がアクセスすることができる、コンピュータにより実行されるシステムにおいて、
顧客が決定した一つ又はそれ以上のパラメータ及び製造プロセスによって決定された一つ又はそれ以上のパラメータを使用し、これらのカスタマイズされた設計パラメータを実装するようなカスタマイズされたホットランナーマニホールドを生成する構成用サブシステムと、
前記構成用サブシステムと通信し、前記カスタマイズされたホットランナーマニホールドを製造するための費用を計算するとともに前記カスタマイズされたホットランナーマニホールドを完成させるまでのスケジュールを決定する業務用サブシステムとを含む、コンピュータにより実行されるシステム。
【請求項３１】
前記構成用サブシステムは、カスタマイズされた設計パラメータを使用して、カスタマイズされたホットランナーマニホールドに接続する複数のホットランナーノズルも生成する、請求項３０に記載のコンピュータにより実行されるシステム。
【請求項３２】
コンピュータネットワークに接続されたオンラインサーバーを使用することによりホットランナーシステムを生成する方法において、
少なくともマニホールドタイプ、ノズル数、ノズルタイプおよびノズルピッチを含むホットランナーの構成要素の選択を規定する工程と、
ホットランナーの構成要素が表示される、使用者の入力スクリーンを提供する工程と、
使用者の入力スクリーンから送られた、少なくとも選択されたマニホールドタイプ、選択されたノズル数、選択されたノズルピッチおよび選択されたノズルタイプを含むような、選択されたホットランナーシステムの選択を電子的に受ける工程と、
選択されたホットランナーシステムの選択を演算処理し、選択されたホットランナーシステムの選択に基づいてホットランナーシステムの構成を生成する工程と、
ホットランナーシステムの構成からホットランナーシステムの図面を自動的に生成する工程と、を含む方法。
【請求項３３】
前記使用者の入力スクリーンは、インターネットのウェブページまたはイントラネットのウェブページを含む、請求項３２記載の方法。
【請求項３４】
前記使用者の入力スクリーンは、情報が入力されたフォームを含む、請求項３２記載の方法。
【請求項３５】
ホットランナーシステムの選択は、顧客により少なくとも部分的に選択される、請求項３２記載の方法。
【請求項３６】
少なくとも一つの以前に選択されたホットランナー構成要素の選択に基づいて推奨されたホットランナー構成要素の選択を示す工程を更に含む、請求項３２記載の方法。
【請求項３７】
選択されたホットランナーシステムの構成を見るよう、検査を行う人に通知する工程を更に含む、請求項３２記載の方法。
【請求項３８】
検査を行う人に通知する工程は、検査を行う人に電子メールを送る工程を備えている、請求項３７記載の方法。
【請求項３９】
電子メールの確認を、検査に関する選択されたホットランナーシステムの構成を選択した使用者に送る工程を更に含む、請求項３８記載の方法。
【請求項４０】
選択されたホットランナーシステムの構成をコンピュータにセーブする工程を更に含む、請求項３２記載の方法。
【請求項４１】
以前にセーブされたホットランナーシステムの構成をコンピュータからロードする工程を更に含む、請求項３２記載の方法。
【請求項４２】
図面を顧客に提供する工程を更に含む、請求項３２記載の方法。
【請求項４３】
図面にアクセスするハイパーリンクを含む電子メールを顧客に送る工程を更に含む、請求項３２記載の方法。
【請求項４４】
図面を自動的に生成する工程は、選択されたホットランナーシステムの三次元モデルを自動的に生成する工程を備えた、請求項３２記載の方法。
【請求項４５】
選択されたホットランナーシステムの構成に基づくホットランナーシステムの費用を計算するとともに選択されたホットランナーシステムの構成に基づくホットランナーシステムの見積もり価格を表示する工程を更に含む、請求項３２記載の方法。
【請求項４６】
選択されたホットランナーシステムの構成に基づくホットランナーシステムを完成させるまでのスケジュールを決定する工程を更に含む、請求項３２記載の方法。
【請求項４７】
選択されたホットランナーシステムの構成に基づくホットランナーシステムの注文を受ける工程を更に含む、請求項３２記載の方法。
【請求項４８】
注文されたホットランナーシステムの状態を表示する工程を更に含む、請求項４７記載の方法。
【請求項４９】
少なくともゲートタイプ、ゲートシール、ゲート挿入、バルブアクチュエータ、入口構成要素、入口構成要素マニホールド中央ヒーター、位置決めリング、および成形エレベーションのうちの一つを含む追加のホットランナーの構成要素の選択を規定する工程を更に含み、
選択されたホットランナーシステムの構成は、少なくとも選択されたゲートタイプ、選択されたゲートシール、選択されたゲート挿入、選択されたバルブアクチュエータ、選択された入口構成要素、選択された入口構成要素マニホールド中央ヒーター、選択された位置決めリング、および選択された成形エレベーションのうちの一つを追加的に含む、請求項３２記載の方法。
【請求項５０】
選択されたマニホールドの寸法および選択されたノズルの配置のうち少なくとも一つを受ける工程を更に含む、請求項３２記載の方法。
【請求項５１】
選択されたホットランナーシステムの構成は、遠隔のコンピュータからローカルコンピュータまたはローカルサーバーで電子的に受けられる、請求項３２記載の方法。
【請求項５２】
コンピュータネットワークに接続されたオンラインサーバーを使用することによりホットランナーシステムを生成する方法において、
少なくともマニホールドタイプ、ノズル数、ノズルタイプおよびノズルピッチを含むホットランナーの構成要素の選択を規定する工程と、
ホットランナーの構成要素が表示される、使用者の入力スクリーンを提供する工程と、
使用者の入力スクリーンから送られた、少なくとも選択されたマニホールドタイプ、選択されたノズル数、選択されたノズルピッチおよび選択されたノズルタイプを含むような、選択されたホットランナーシステムの選択を電子的に受ける工程と、
選択されたホットランナーシステムの選択を演算処理し、選択されたホットランナーシステムの選択に基づいてホットランナーシステムの構成を生成する工程と、
選択されたホットランナーシステムの構成に基づくホットランナーシステムの費用を計算するとともに選択されたホットランナーシステムの構成に基づくホットランナーシステムの見積もり価格を表示する工程と、を含む方法。
【請求項５３】
前記使用者の入力スクリーンは、インターネットのウェブページまたはイントラネットのウェブページを含む、請求項５２記載の方法。
【請求項５４】
前記使用者の入力スクリーンは、情報が入力されたフォームを含む、請求項５２記載の方法。
【請求項５５】
少なくとも一つの以前に選択されたホットランナー構成要素の選択に基づいて推奨されたホットランナー構成要素の選択を示す工程を更に含む、請求項５２記載の方法。
【請求項５６】
ホットランナーシステムの構成からホットランナーシステムの図面を自動的に生成する工程を更に含む、請求項５２記載の方法。
【請求項５７】
選択されたホットランナーシステムの構成を見るよう、検査を行う人に通知する工程を更に含む、請求項５２記載の方法。
【請求項５８】
検査を行う人に通知する工程は、検査を行う人に電子メールを送る工程を備えている、請求項５７記載の方法。
【請求項５９】
選択されたホットランナーシステムの構成に基づくホットランナーシステムを完成させるまでのスケジュールを決定する工程を更に含む、請求項５２記載の方法。
【請求項６０】
選択されたホットランナーシステムの構成に基づくホットランナーシステムの注文を受ける工程を更に含む、請求項５２記載の方法。
【請求項６１】
注文されたホットランナーシステムの状態を表示する工程を更に含む、請求項６０記載の方法。
【請求項６２】
選択されたホットランナーシステムの構成は、遠隔のコンピュータからローカルコンピュータまたはローカルサーバーで電子的に受けられる、請求項５２記載の方法。